(57)【特許請求の範囲】
【請求項１】
載置された被送り媒体をピックアップし送り方向下流側へ送るピックアップローラと、
該ピックアップローラによって送られる被送り媒体を案内する案内経路部と、
駆動源の動力によって駆動し、送られた被送り媒体をさらに送り方向下流側へ送る送り駆動ローラと、
該送り駆動ローラに対して接離移動し、回動に所定の負荷を伴うリタードローラと、
前記案内経路部における前記リタードローラが設けられた側であって、前記リタードローラと、前記送り駆動ローラとのニップ点より送り方向下流側に設けられた被送り媒体先端規制凸部と、
前記リタードローラが重送された被送り媒体を分離した後、前記リタードローラを前記送り駆動ローラに対して離間移動させ、分離された被送り媒体の送り方向下流端である先端を前記送り駆動ローラに対して離間する方向へ変位させ、前記被送り媒体先端規制凸部に、分離された被送り媒体の先端が送り方向下流側へ移動することを規制させる制御部と、を備える給送装置。
【請求項２】
請求項１に記載の給送装置において、前記載置された被送り媒体から前記リタードローラと前記送り駆動ローラとのニップ点までの送り経路は、前記リタードローラが設けられた側に凸となるように側視曲がって形成され、
前記ピックアップローラは、載置された被送り媒体に対して接離移動するように設けられ、
前記制御部は、前記リタードローラを前記送り駆動ローラに対して離間移動させる際、前記ピックアップローラを、被送り媒体に対して離間する方向へ移動させる給送装置。
【請求項３】
請求項１または２に記載の給送装置において、前記案内経路部は、前記送り駆動ローラが設けられた側であって、前記ニップ点より送り方向上流側に被送り媒体と前記送り駆動ローラとの接触を防止する接触防止部を有する給送装置。
【請求項４】
請求項１乃至３のいずれか１項に記載の給送装置において、前記被送り媒体先端規制凸部は、被送り媒体の幅方向において、前記リタードローラの両側に設けられている給送装置。
【請求項５】
請求項１乃至４のいずれか１項に記載の給送装置において、前記案内経路部は、Ｕ字型に設けられている給送装置。
【請求項６】
請求項１乃至５のいずれか１項に記載の給送装置において、前記被送り媒体のサイズは、Ａ３サイズ以上である給送装置。
【請求項７】
載置された被記録媒体をピックアップして給送する給送部と、
給送された被記録媒体を搬送方向下流側へ搬送する搬送部と、
搬送された被記録媒体に対して記録ヘッドにより記録を実行する記録部と、を備えた記録装置であって、
前記給送部は、請求項１乃至６のいずれか１項に記載された前記給送装置を備える記録装置。
【発明の詳細な説明】
【技術分野】
【０００１】
本発明は、載置された被送り媒体をピックアップし送り方向下流側へ送るピックアップローラと、該ピックアップローラによって送られる被送り媒体を案内する案内経路部と、駆動源の動力によって駆動し、送られた被送り媒体をさらに送り方向下流側へ送る送り駆動ローラと、該送り駆動ローラに対して接離移動し、回動に所定の負荷を伴うリタードローラと、を備える給送装置および該給送装置を備える記録装置に関する。  
本願において、記録装置には、インクジェットプリンタ、ワイヤドットプリンタ、レーザープリンタ、ラインプリンタ、複写機、ファクシミリ等の種類が含まれるものとする。
【背景技術】
【０００２】
従来では、特許文献１に示す如く、記録装置に設けられた給送装置は、ピックアップローラと、案内経路部と、送り駆動ローラと、リタードローラと、を備えていた。このうち、前記ピックアップローラは、載置された被送り媒体をピックアップし送り方向下流側へ送ることができるように設けられていた。また、前記案内経路部は、前記ピックアップローラによって送られる被送り媒体を案内することができるように設けられていた。またさらに、前記送り駆動ローラは、駆動源の動力によって駆動し、送られた被送り媒体をさらに送り方向下流側へ送ることができるように設けられていた。また、前記リタードローラは、送り駆動ローラに対して接離移動し、回動に所定の負荷を伴うように設けられていた。
【０００３】
図１０に示すのは、従来技術における記録装置内部の概略を示す側面図である。  
図１０に示す如く、従来の記録装置２００に設けられた給送装置２０１は、ピックアップローラ２０２と、案内経路部２０６と、送り駆動ローラ２０５と、送り駆動ローラ２０５に対して接離移動可能なリタードローラ２０４と、を備えていた。ピックアップローラ２０２は、載置された被送り媒体の一例である用紙をピックアップして送り方向下流側へ送ることができた。そして、送られた用紙は、先ず予備分離部としての土手分離部２０３に進入する。そして、土手分離部２０３を通過した用紙は、本分離部としてのリタードローラ２０４と、送り駆動ローラ２０５とによって、さらに送り方向下流側に送られる。このとき、リタードローラ２０４は、所定の負荷に伴って回動するように構成されている。
【０００４】
従って、数枚の用紙がリタードローラ２０４まで送られた場合、送り駆動ローラ２０５に対して最上位の用紙２０９のみがリタードローラ２０４を通過することができる。所謂、リタード分離である。そして、最上位の用紙２０９は、送り駆動ローラ２０５によってさらに送り方向下流側の搬送ローラ対２０７へ送られる。その後、最上位の用紙２０９は、搬送ローラ対２０７によって記録部２０８へ搬送される。
【０００５】
ここで、最上位の用紙２０９が搬送ローラ対２０７によってニップされた後は、リタードローラ２０４を送り駆動ローラ２０５に対して退避移動させていた。従って、用紙の搬送においてリタードローラ２０４の前記負荷による所謂、バックテンションを低減することができた。
【特許文献１】特開２００７−２０３７０７号公報
【発明の開示】
【発明が解決しようとする課題】
【０００６】
しかしながら、リタード分離によって分離された用紙２１０の先端側と、給送中の最上位の用紙２０９の後端側とが接触する。従って、リタード分離によって分離された用紙２１０が最上位の用紙２０９との摩擦力によって最上位の用紙２０９に連れられて送り方向下流側へ送られる所謂、連れ給紙（連れ給送）が生じる虞がある。即ち、従来技術における分離された用紙２１０を送り方向上流側へ戻す所謂、戻しレバーをなくしたため、連れ給紙対策が不十分となった。
【０００７】
本発明は、このような状況に鑑み成されたものであり、その課題は、戻しレバーを設けることなく、連れ給送を防止することができる給送装置および該給送装置を備えた記録装置を提供することである。
【課題を解決するための手段】
【０００８】
上記課題を達成するため、本発明の第１の態様の給送装置は、載置された被送り媒体をピックアップし送り方向下流側へ送るピックアップローラと、該ピックアップローラによって送られる被送り媒体を案内する案内経路部と、駆動源の動力によって駆動し、送られた被送り媒体をさらに送り方向下流側へ送る送り駆動ローラと、該送り駆動ローラに対して接離移動し、回動に所定の負荷を伴うリタードローラと、前記案内経路部における前記リタードローラが設けられた側であって、前記リタードローラと、前記送り駆動ローラとのニップ点より送り方向下流側に設けられた被送り媒体先端規制凸部と、前記リタードローラが重送された被送り媒体を分離した後、前記リタードローラを前記送り駆動ローラに対して離間移動させ、分離された被送り媒体の送り方向下流端である先端を前記送り駆動ローラに対して離間する方向へ変位させ、前記被送り媒体先端規制凸部に、分離された被送り媒体の先端が送り方向下流側へ移動することを規制させる制御部と、を備えていることを特徴とする。
【０００９】
本発明の第１の態様によれば、前記給送装置は、前記被送り媒体先端規制凸部と、前記制御部と、を備えている。従って、前記リタードローラが重送された被送り媒体を分離した後、前記リタードローラを前記送り駆動ローラに対して離間移動させ、分離された被送り媒体の送り方向下流端である先端を前記送り駆動ローラに対して離間する方向へ変位させることができる。そして、前記被送り媒体先端規制凸部に、分離された被送り媒体の先端が送り方向下流側へ移動することを規制させることができる。
【００１０】
その結果、リタードローラによる分離後において、先行する被送り媒体の後端側と、後続の被送り媒体の先端側とが接触し、摩擦力によって後続の被送り媒体が先行する被送り媒体に連れられて送られる所謂、連れ給送を防止することができる。即ち、リタードローラによって分離された被送り媒体を送り方向上流側へ戻すため従来設けられていた所謂、戻しレバーを設けることなく、連れ給紙を確実に防止することができる。そして、戻しレバーの機構の分だけ、小型化およびコストダウンすることができる。連れ給紙が発生しやすい大判サイズの給送装置において特に有効である。また、戻しレバーの機構を廃止したので、被送り媒体の表面に戻しレバーによる傷（ダメージ）が発生する虞がない。
【００１１】
本発明の第２の態様は、第１の態様において、前記載置された被送り媒体から前記リタードローラと前記送り駆動ローラとのニップ点までの送り経路は、前記リタードローラが設けられた側に凸となるように側視曲がって形成され、前記ピックアップローラは、載置された被送り媒体に対して接離移動するように設けられ、前記制御部は、前記リタードローラを前記送り駆動ローラに対して離間移動させる際、前記ピックアップローラを、被送り媒体に対して離間する方向へ移動させることを特徴とする。
【００１２】
本発明の第２の態様によれば、第１の態様と同様の作用効果に加え、前記載置された被送り媒体から前記リタードローラと前記送り駆動ローラとのニップ点までの送り経路は、前記リタードローラが設けられた側に凸となるように側視曲がって形成されている。また、前記ピックアップローラは、載置された被送り媒体に対して接離移動するように設けられ、前記制御部は、前記リタードローラを前記送り駆動ローラに対して離間移動させる際、前記ピックアップローラを、被送り媒体に対して離間する方向へ移動させる。従って、前記リタードローラによって分離された被送り媒体の撓みを、前記ピックアップローラが前記離間する方向へ移動しない場合と比較して、小さくすることができる。
【００１３】
その結果、前記リタードローラによって分離された被送り媒体の先端の向きを、積極的に前記リタードローラが設けられた側に向けることができる。そして、前記分離された被送り媒体の先端を、前記被送り媒体先端規制凸部に積極的に当てることができる。即ち、より確実に連れ給紙を防止することができる。  
また、給送中の先行する被送り媒体と、分離された後続の被送り媒体との間の摩擦力を低減することができる。従って、より確実に連れ給紙を防止することができる。
【００１４】
本発明の第３の態様は、第１または第２の態様において、前記案内経路部は、前記送り駆動ローラが設けられた側であって、前記ニップ点より送り方向上流側に被送り媒体と前記送り駆動ローラとの接触を防止する接触防止部を有することを特徴とする。  
本発明の第３の態様によれば、第１または第２の態様と同様の作用効果に加え、前記案内経路部は、前記送り駆動ローラが設けられた側であって、前記ニップ点より送り方向上流側に被送り媒体と前記送り駆動ローラとの接触を防止する接触防止部を有する。従って、前記リタードローラによって分離された後続の被送り媒体が、前記送り駆動ローラと接触することを防止することができる。より具体的には、給送中の先行する被送り媒体の後端が、前記ニップ点を通過する際、分離された後続の被送り媒体が前記送り駆動ローラと接触することによって送り力が発生することを防止することができる。その結果、被送り媒体の重送を防止することができる。
【００１５】
本発明の第４の態様は、第１から第３のいずれか一の態様において、前記被送り媒体先端規制凸部は、被送り媒体の幅方向において、前記リタードローラの両側に設けられていることを特徴とする。  
本発明の第４の態様によれば、第１から第３のいずれか一の態様と同様の作用効果に加え、前記被送り媒体先端規制凸部は、被送り媒体の幅方向において、前記リタードローラの両側に設けられている。即ち、両側の２点で分離された後続の被送り媒体と接触する。従って、幅方向において、分離された後続の被送り媒体の先端の姿勢を安定させることができる。即ち、被送り媒体が、送り方向に対して傾く虞がない。  
また、前記リタードローラの両側近傍に設けることによって、前記リタードローラが前記送り駆動ローラに対して接近移動してリタード分離を実行する際、先行する前記送り駆動ローラに対して最上位の被送り媒体の先端が、前記被送り媒体先端規制凸部に引っ掛かる虞がない。即ち、リタードローラによるリタード分離精度を安定させることができる。
【００１６】
本発明の第５の態様は、第１から第４のいずれか一の態様において、前記案内経路部は、Ｕ字型に設けられていることを特徴とする。  
本発明の第５の態様によれば、第１から第４のいずれか一の態様と同様の作用効果に加え、前記案内経路部は、Ｕ字型に設けられている。係る場合、先行する被送り媒体が撓むことによって、先行する被送り媒体と後続の被送り媒体との間で生じる摩擦力が大きくなる傾向があり、前記被送り媒体先端規制凸部は特に有効である。
【００１７】
本発明の第６の態様は、第１から第５のいずれか一の態様において、前記被送り媒体のサイズは、Ａ３サイズ以上であることを特徴とする。  
本発明の第６の態様によれば、第１から第５のいずれか一の態様と同様の作用効果に加え、前記被送り媒体のサイズは、Ａ３サイズ以上である。係る場合、先行する被送り媒体と後続の被送り媒体とが接触する接触面積が大きくなる傾向にある。そして、先行する被送り媒体と後続の被送り媒体との間で生じる摩擦力が大きくなる傾向があり、前記被送り媒体先端規制凸部は特に有効である。
【００１８】
本発明の第７の態様の記録装置は、載置された被記録媒体をピックアップして給送する給送部と、給送された被記録媒体を搬送方向下流側へ搬送する搬送部と、搬送された被記録媒体に対して記録ヘッドにより記録を実行する記録部と、を備えた記録装置であって、前記給送部は、上記第１から第６のいずれかの態様の前記給送装置を備えていることを特徴とする。  
本発明の第７の態様によれば、前記給送部は、上記第１から第６のいずれかの態様の前記給送装置を備えている。従って、前記記録装置において、上記第１から第６のいずれかの態様と同様の作用効果を得ることができる。
【発明を実施するための最良の形態】
【００１９】
以下、本発明の実施の形態を図面に基づいて説明する。  
図１に示すのは、「記録装置」或いは「液体噴射装置」の一例としてのインクジェットプリンタ（以下「プリンタ」と言う）１の内部におけるピックアップ時の動作を示す側面図である。  
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【００２０】
またさらに、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００２１】
図１に示す如く、プリンタ１は、給送部１０と、搬送部７０と、記録部８０と、図示しない排出部とを備えている。このうち、給送部１０は、ピックアップ部２０と、予備分離部３０と、本分離部４０とを有している。ピックアップ部２０は、カセット部１４に載置された用紙Ｐをピックアップして送り方向下流側へ送ることができるように設けられている。
【００２２】
具体的には、駆動源の一例である給送用モータ９１の動力によって駆動するピックアップローラ２１と、ピックアップローラ２１を保持しアーム軸２３を支点に揺動するアーム部２２とを有する。そして、図示しない付勢手段によって、ピックアップローラ２１が用紙Ｐに接近する方向に付勢されている。また、図示しないピックアップ退避手段によってアーム部２２が揺動し、ピックアップローラ２１が載置された用紙Ｐから離間する方向へ移動することができるように設けられている。所謂、ピックアップレリース動作である。
【００２３】
また、予備分離部３０は、所謂、土手分離を実行する土手分離部３１を有する。作用については後述するものとする。  
またさらに、本分離部４０は、予備分離部３０の送り方向下流側に設けられている。本分離部４０は、所定の負荷によって回動する所謂、リタードローラ４１を有している。リタードローラ４１は、給送用モータ９１の動力によって駆動する中間駆動ローラ５０と対を成すように設けられている。そして、リタードローラ４１は、揺動機構４３（図５参照）によって、中間駆動ローラ５０に対して接離移動可能に設けられている。具体的には、揺動機構４３は、リタードローラ４１をリタードホルダ４２（図５参照）によって保持し、揺動軸４６（図５参照）を支点に揺動するように構成されている。
【００２４】
そして、付勢ばね４７（図５参照）の一端が基体部２と係合され、他端がリタードホルダ４２の自由端側と係合されている。従って、リタードローラ４１を中間駆動ローラ５０に対して接近する方向へ付勢することができる。また、揺動機構４３は、付勢ばね４７の付勢力に抗してリタードローラ４１を中間駆動ローラ５０から離間移動させる手段として、離間用モータ９２の動力によって駆動するカム部４５を有している。カム部４５は、リタードホルダ４２の図示しない凸部と係合して溝カム機構を構成し、リタードホルダ４２を介してリタードローラ４１を中間駆動ローラ５０に対して離間移動させることができるように設けられている。
【００２５】
また、土手分離部３１とリタードローラ４１との間には、従動回転する第１アシストローラ４８が設けられている。そして、第１アシストローラ４８は、土手分離部３１を通過した用紙Ｐの先端を、リタードローラ４１と中間駆動ローラ５０とのニップ点Ｎにスムーズに案内することができるように設けられている。  
またさらに、リタードローラ４１と中間駆動ローラ５０とのニップ点Ｎより送り方向下流側において、後述する用紙先端規制リブ６０、６０（図９参照）が設けられている。
【００２６】
さらに送り方向下流側には、基体部２に回動自在に保持され、中間駆動ローラ５０と外接する第２アシストローラ５１が設けられている。またさらに送り方向下流側には、第３アシストローラ５２が回動自在に設けられている。  
ここで、用紙Ｐの送り経路は、ピックアップ部２０から搬送部７０までＵ字型に形成されている。具体的には、Ｕ字型の外側から用紙Ｐを案内するＵ字型外側用紙案内部１１と、内側から案内する内側用紙案内部１２と、土手分離部３１と、後述する巻き込み防止部１３と、によってＵ字型の送り経路が構成されている。
【００２７】
従って、第１アシストローラ４８〜第３アシストローラ５２によって用紙Ｐと基体部２のＵ字型外側用紙案内部１１との間に生じる摩擦抵抗を低減することができる。従って、さらに送り方向下流側である搬送部７０へ用紙Ｐを滑らかに送ることができる。  
搬送部７０は、用紙Ｐを搬送する搬送ローラ対７１を有する。搬送ローラ対７１は、給送用モータ９１の動力によって駆動する搬送駆動ローラ７２と、従動回転する搬送従動ローラ７３とを有する。このうち、搬送従動ローラ７３は、従動ローラホルダ７４によって回動自在に保持されている。
【００２８】
また、従動ローラホルダ７４は、図示しない付勢手段によって搬送従動ローラ７３を搬送駆動ローラ７２に対して圧接させている。また、送り方向Ｙにおいて、搬送ローラ対７１の上流側近傍には、用紙Ｐの有無を検出する用紙検出器７５が設けられている。具体的には、用紙検出器７５は、揺動可能な用紙検出レバー７７と、センサ部７６とを有している。そして、用紙検出レバー７７の一端が用紙Ｐと当接することによって揺動し、用紙検出レバー７７の他端がセンサ部７６の図示しない発光部と受光部との間から離れることによって、ＯＮ状態になるように構成されている。
【００２９】
また、搬送部７０は、送り方向下流側に設けられた記録部８０へ用紙Ｐを搬送することができるように設けられている。  
またさらに、記録部８０は、用紙Ｐに対してインクを吐出して記録を実行する記録ヘッド８２と、記録ヘッド８２と対向し下方から用紙Ｐを支持するプラテン８１とを有する。
【００３０】
その後、図示しない排出部の排出ローラによって、記録された用紙Ｐは、プリンタ１の前面の排出トレイ（図示せず）へ排出される。
【００３１】
続いて、より詳細な用紙送り動作について説明する。  
図１に示す如く、カセット部１４に載置されたピックアップローラ２１に対して最上位の用紙Ｐ１をピックアップする際、制御部９０は、アーム部２２を揺動させピックアップローラ２１を最上位の用紙Ｐ１と接触させる。そして、アーム用モータ９３を駆動させることによって、ピックアップローラ２１を図中における時計方向へ回動させる。
【００３２】
このとき、ピックアップローラ２１は、図示しない付勢手段によって用紙Ｐに対して接近する方向へ付勢されている。従って、ピックアップローラ２１と最上位の用紙Ｐ１との間に摩擦力が生じ、送り方向下流側へ送る力である送り力を発生させることができる。そして、該送り力によって、最上位の用紙Ｐ１は、送り方向下流側へ移動し始める。即ち、ピックアップされて下流側へ送られる。
【００３３】
尚、ピックアップローラ２１と最上位の用紙Ｐ１との間の摩擦係数μ１、用紙Ｐと用紙Ｐとの間の摩擦係数μ２、基体部側のピックアップローラ２１と対向する位置に設けられたパッド部１５と用紙Ｐとの間の摩擦係数μ３とした場合、摩擦係数μ１＞摩擦係数μ３＞摩擦係数μ２の関係が成り立つように構成されている。従って、数枚の用紙Ｐが重なって送られる所謂、重送される虞を低減することができる。  
また、ピックアップされる際、リタードローラ４１は、中間駆動ローラ５０に対して接近した状態である。
【００３４】
図２に示すのは、本発明に係るプリンタ内部における土手分離時の動作を示す側面図である。  
図２に示す如く、ピックアップローラ２１にピックアップされた用紙Ｐは、送り方向下流側へ送られる。そして、送られた用紙Ｐは、予備分離部３０としての土手分離部３１へ進入する。
【００３５】
ここで、ピックアップローラ２１に対して最上位の用紙Ｐ１と次位以降の用紙Ｐ２との間の摩擦係数μ２およびピックアップローラ２１を付勢する付勢力によって、次位以降の用紙Ｐ２にも送り力が発生する虞がある。
【００３６】
係る場合、ピックアップローラ２１によって最上位の用紙Ｐ１だけでなく、次位以降の用紙Ｐ２も送り方向下流側へ送られる。
【００３７】
そこで、重送された次位以降の用紙Ｐ２を、最上位の用紙Ｐ１から分離するために、用紙Ｐの先端の姿勢が変位する角度で設けられた土手分離部３１へ用紙Ｐを進入させる。そして、用紙Ｐの先端を土手分離部３１に度当てることによって次位以降の用紙Ｐ２が停止するきっかけをつくる。さらに、最上位の用紙Ｐ１と、次位以降の用紙Ｐ２との間に隙間を設けることができる。従って、重送された次位以降の用紙Ｐ２を、最上位の用紙Ｐ１から分離することができる。
【００３８】
図３に示すのは、本発明に係るプリンタ内部におけるリタード分離の動作を示す側面図である。  
図３に示す如く、土手分離部３１によって分離された用紙Ｐは、ピックアップローラ２１によってさらに送り方向下流側へ送られる。そして、用紙Ｐは、本分離部４０であるリタードローラ４１と中間駆動ローラ５０とが外接するニップ点Ｎへ送られる。  
尚、本実施例において、予備分離部３０はあくまでも予備的な分離手段であるため、本分離部４０へは、数枚の用紙Ｐが重送される虞があるものとする。以下、数枚の用紙Ｐが重送されることを前提として説明する。
【００３９】
重送された用紙Ｐがニップ点Ｎへ送られると、中間駆動ローラ５０に対して最上位の用紙Ｐ１のみが中間駆動ローラ５０と直に接触する。また、次位以降の用紙Ｐ２の先端は、回動に所定の負荷を伴うリタードローラ４１と接触する。  
ここで、中間駆動ローラ５０と最上位の用紙Ｐ１との間の摩擦係数μ４、用紙Ｐと用紙Ｐとの間の摩擦係数μ２、リタードローラ４１と用紙Ｐとの間の摩擦係数μ５とした場合、摩擦係数μ４＞摩擦係数μ２、摩擦係数μ５＞摩擦係数μ２の関係が成り立つように構成されている。
【００４０】
従って、最上位の用紙Ｐ１に作用する送り力を次位以降の用紙Ｐ２に作用する送り力より大きくすることができる。  
ここで、リタードローラ４１の前記負荷は、次位以降の用紙Ｐ２に作用する送り力より大となるように構成されている。  
従って、中間駆動ローラ５０を図中における時計方向へ回動させることによって、最上位の用紙Ｐ１のみを送り方向下流側へ送ることができる。
【００４１】
より具体的には、次位以降の用紙Ｐ２の先端は、リタードローラ４１の前記負荷によってニップ点Ｎで保持され、最上位の用紙Ｐ１と次位の用紙Ｐ２との間でスリップを発生させることができる。従って、最上位の用紙Ｐ１を、次位以降の用紙Ｐ２から分離して送り方向下流側へ送ることができる。そして、最上位の用紙Ｐ１の先端は、第２アシストローラ５１を通過し、Ｕ字型外側用紙案内部１１および内側用紙案内部１２に案内されながら、第３アシストローラ５２まで到達する。
【００４２】
図４に示すのは、本発明に係るプリンタ内部におけるリタード分離の動作を示す側面図である。また、図５に示すのは、図４の状態を拡大した様子を示す拡大側断面図である。
【００４３】
図４および図５に示す如く、中間駆動ローラ５０に対して最上位の用紙Ｐ１が送り方向下流側へさらに送られると、最上位の用紙Ｐ１の先端が用紙検出器７５によって検出される。具体的には、最上位の用紙Ｐ１の先端が、用紙検出レバー７７の一端と当接し、用紙検出レバー７７を揺動させる。このとき、用紙検出レバー７７の他端は、センサ部７６の発光部と受光部との間から外れるため、用紙検出器７５はＯＮ状態となる。
【００４４】
これをトリガとして制御部９０は、リタードローラ４１を中間駆動ローラ５０から離間移動させる。具体的には、離間用モータ９２によってカム部４５を回動させ、付勢ばね４７の付勢力に抗してリタードホルダ４２を中間駆動ローラ５０に対して退避する方向へ揺動させる。  
また、制御部９０は、アーム用モータ９３を駆動させアーム部２２を、ピックアップローラ２１がカセット部１４に載置された用紙Ｐから退避する方向へアーム軸２３を支点に揺動させる。  
尚、リタードローラ４１の離間移動を開始するタイミングは、中間駆動ローラ５０およびピックアップローラ２１が所定の回動量に達したときとしてもよい。
【００４５】
リタードローラ４１が離間移動すると、最上位の用紙Ｐ１は、中間駆動ローラ５０と第２アシストローラ５１とによって送られる。  
また、ピックアップローラ２１が離間移動すると、次位以降の用紙Ｐ２には、直接的に中間駆動ローラ５０およびピックアップローラ２１から送り力の作用は及ばない。従って、リタードローラ４１に先端が保持されていた次位以降の用紙Ｐ２は、自重によってカセット部１４へ戻ろうとする。
【００４６】
ところが、中間駆動ローラ５０によって送られている最上位の用紙である先行する用紙Ｐ１の後端と、リタードローラ４１に先端が保持されていた次位以降の用紙である後続の用紙Ｐ２の先端とが接触する。従って、後続の用紙Ｐ２には、間接的に送り力が作用する。
【００４７】
そこで、Ｕ字型外側用紙案内部１１における中間駆動ローラ５０とリタードローラ４１とのニップ点Ｎより送り方向下流側に、凸状の用紙先端規制リブ６０、６０が設けられている。また、用紙先端規制リブ６０、６０は、用紙Ｐの幅方向Ｘにおいて、リタードローラ４１の両側近傍に設けられている（図９参照）。
【００４８】
そして、送り経路はＵ字型に曲がっているので、リタードローラ４１が離間移動すると、次位以降の用紙である後続の用紙Ｐ２の先端は、Ｕ字型外側用紙案内部側へ変位する。
【００４９】
従って、用紙先端規制リブ６０、６０は、リタードローラ４１が離間移動した後において、次位以降の用紙である後続の用紙Ｐ２の先端と当接して、送り方向下流側へ変位を規制することができる。
【００５０】
即ち、確実に後続の用紙Ｐ２が送り方向下流側へ送られることを防止することができる。その結果、後続の用紙Ｐ２が先行する用紙Ｐ１に連れられて送られる所謂、連れ給紙を防止することができる。連れ給紙は、後続の用紙Ｐ２と先行する用紙Ｐ１とが接触する面積が大きくなる特にサイズの大きい用紙Ｐを給送する場合に生じやすい。具体的には、Ａ３サイズ以上のサイズにおいて生じやすい。言い換えると、Ａ４サイズ以下であれば、前記接触する面積が小さいので連れ給紙が発生する虞が小さいからである。
【００５１】
このとき、ピックアップローラ２１を離間移動させることによって、後続の用紙Ｐ２の撓み量を小さくすることができる。即ち、後続の用紙Ｐ２の姿勢をできるだけ真っ直ぐな姿勢にすることができる。従って、後続の用紙Ｐ２の先端を、積極的に用紙先端規制リブ６０、６０に突き当てるようにすることができる。  
また、先行する用紙Ｐ１の後端は、後続の用紙Ｐ２の先端をＵ字型経路の外側であるＵ字型外側用紙案内部側へ押し出すように作用する。従って、後続の用紙Ｐ２の先端を、積極的に用紙先端規制リブ６０、６０に当接させることができる。
【００５２】
その結果、確実に連れ給紙を防止することができる。即ち、従来技術において設けられていた所謂、戻しレバーを設けることなく、連れ給紙を防止することができる。  
また、従来技術より早いタイミングでリタードローラ４１を離間移動させることができる。その結果、リタードローラ４１の負荷による所謂、バックラッシを早いタイミングで低減させることができる。例えば、最上位の用紙Ｐ１の先端が第２アシストローラ５１に到達したとき、リタードローラ４１の離間移動を開始してもよい。
【００５３】
図６に示すのは、本発明に係るプリンタ内部におけるリタード分離の動作を示す側面図である。  
図６に示す如く、図５の状態からさらに中間駆動ローラ５０に対して最上位の用紙である先行する用紙Ｐ１が送り方向下流側へ送られると、先行する用紙Ｐ１の後端は、中間駆動ローラ５０とリタードローラ４１との間を通過する。
【００５４】
ここで、Ｕ字型経路の内側には巻き込み防止部１３が設けられている。具体的には、送り方向Ｙにおける中間駆動ローラ５０とリタードローラ４１とのニップ点Ｎより送り方向上流側において、中間駆動ローラ５０を覆うように設けられている。従って、巻き込み防止部１３は、後続の用紙Ｐ２が中間駆動ローラ５０と接触することを防止することができる。その結果、後続の用紙Ｐ２に対して直接的に中間駆動ローラ５０が送り力を作用させる虞がない。  
そして、先行する用紙Ｐ１の先端は、搬送ローラ対７１にニップされる。その後、スキュー取りが実行され、先行する用紙Ｐ１は、搬送ローラ対７１によって送り方向下流側へ搬送されながら、記録部８０によって記録される。そして、図示しない排出部によってプリンタ１の前方の排出トレイ（図示せず）に排出される。
【００５５】
図７に示すのは、本発明において後続用紙をピックアップする様子を示す側面図である。また、図８に示すのは、図７の状態を拡大した様子を示す拡大側断面図である。  
図７および図８に示す如く、先行する用紙Ｐ１が記録部８０へ搬送された後、続けて用紙Ｐを給送することができる。具体的には、制御部９０は、リタードローラ４１を中間駆動ローラ５０に接近移動させる。より具体的には、離間用モータ９２によってカム部４５を回動させ、付勢ばね４７の付勢力によってリタードホルダ４２を中間駆動ローラ５０に対して接近する方向へ揺動させる。  
また、制御部９０は、アーム用モータ９３を駆動させアーム部２２を、ピックアップローラ２１がカセット部１４に載置された用紙Ｐに対して接近する方向へアーム軸２３を支点に揺動させる。
【００５６】
このとき、用紙先端規制リブ６０、６０に保持された後続の用紙Ｐ２が、リタードローラ４１の接近移動によって、中間駆動ローラ側へ変位する。そして、中間駆動ローラ５０とリタードローラ４１とによってニップされる。従って、後続の用紙Ｐ２の先端は、用紙先端規制リブ６０、６０による規制状態から解除された状態となる。該状態において、前述したように中間駆動ローラ５０およびピックアップローラ２１が図中における時計方向へ回動する。
【００５７】
このとき、用紙先端規制リブ６０、６０に保持された後続の用紙Ｐ２が一枚であれば、該一枚の用紙Ｐ２が送り方向下流側へ送られる。  
また、用紙先端規制リブ６０、６０に保持された後続の用紙Ｐ２、Ｐ３…が複数枚であれば、前述したように摩擦係数μ４＞摩擦係数μ２、摩擦係数μ５＞摩擦係数μ２の関係が成り立つ。
【００５８】
従って、中間駆動ローラ５０に対して最上位の用紙Ｐ２に作用する送り力を、次位以降の用紙Ｐ３に作用する送り力より大きくすることができる。即ち、リタードローラ４１によって次位以降の用紙Ｐ３を分離し、最上位の用紙Ｐ２のみを送り方向下流側へ送ることができる。このとき、最上位の用紙Ｐ２の先端は、前述したようにリタードローラ４１の接近移動によって中間駆動ローラ側へ変位したので、用紙先端規制リブ６０、６０に規制される虞はない。
【００５９】
図９に示すのは、本発明に係る用紙先端規制リブを示す斜視図である。  
図９に示す如く、用紙先端規制リブ６０、６０は、送り方向Ｙにおいて、リタードローラ４１と中間駆動ローラ５０とのニップ点Ｎより送り方向下流側の近傍に設けられている。また、用紙Ｐの幅方向Ｘにおいて、リタードローラ４１の両側近傍に一対設けられている。従って、前述した図４〜図６において、後続の用紙Ｐ２の先端と２箇所で当接することができる。その結果、規制した後続の用紙先端の幅方向Ｘに対する姿勢が不安定になる虞がない。即ち、後続の用紙先端の幅方向Ｘに対する姿勢を安定させることができ、前述した図８において、後続だった用紙が最上位の用紙Ｐ２となって送られる際、姿勢よく給送することができる。
【００６０】
本実施形態の給送装置としての給送部１０は、載置された被送り媒体の一例である用紙Ｐをピックアップし送り方向下流側へ送るピックアップローラ２１と、ピックアップローラ２１によって送られる用紙Ｐを案内する案内経路部としてのＵ字型外側用紙案内部１１、内側用紙案内部１２、巻き込み防止部１３および土手分離部３１と、駆動源の一例である給送用モータ９１の動力によって駆動し、送られた用紙Ｐをさらに送り方向下流側へ送る送り駆動ローラとしての中間駆動ローラ５０と、中間駆動ローラ５０に対して接離移動し、回動に所定の負荷を伴うリタードローラ４１と、Ｕ字型外側用紙案内部１１、内側用紙案内部１２および巻き込み防止部１３におけるリタードローラ４１が設けられた側であって、リタードローラ４１と、中間駆動ローラ５０とのニップ点Ｎより送り方向下流側に設けられた被送り媒体先端規制凸部としての用紙先端規制リブ６０、６０と、リタードローラ４１が重送された用紙Ｐ２（Ｐ）を分離した後、リタードローラ４１を中間駆動ローラ５０に対して離間移動させ、分離された用紙Ｐ２（Ｐ）の送り方向下流端である先端を中間駆動ローラ５０に対して離間する方向へ変位させ、用紙先端規制リブ６０、６０に、分離された用紙Ｐ２（Ｐ）の先端が送り方向下流側へ移動することを規制させる制御部９０と、を備えていることを特徴とする。
【００６１】
また、本実施形態において、載置された用紙Ｐからリタードローラ４１と中間駆動ローラ５０とのニップ点Ｎまでの送り経路は、リタードローラ４１が設けられた側に凸となるように側視曲がって形成され、ピックアップローラ２１は、載置された用紙Ｐに対して接離移動するように設けられ、制御部９０は、リタードローラ４１を中間駆動ローラ５０に対して離間移動させる際、ピックアップローラ２１を、用紙Ｐに対して離間する方向へ移動させることを特徴とする。
【００６２】
またさらに、本実施形態において、案内経路部としてのＵ字型外側用紙案内部１１、内側用紙案内部１２および巻き込み防止部１３は、中間駆動ローラ５０が設けられた側であって、ニップ点Ｎより送り方向上流側に用紙Ｐと中間駆動ローラ５０との接触を防止する接触防止部としての巻き込み防止部１３を有することを特徴とする。  
また、本実施形態において、用紙先端規制リブ６０、６０は、用紙Ｐの幅方向Ｘにおいて、リタードローラ４１の両側に設けられていることを特徴とする。
【００６３】
またさらに、本実施形態において、Ｕ字型外側用紙案内部１１、内側用紙案内部１２、巻き込み防止部１３および土手分離部３１は、Ｕ字型に送り経路を構成するように設けられていることを特徴とする。  
また、本実施形態において、用紙Ｐのサイズは、Ａ３サイズ以上であることを特徴とする。
【００６４】
本実施形態の記録装置の一例であるプリンタ１は、載置された被記録媒体の一例である用紙Ｐをピックアップして給送する給送部１０と、給送された用紙Ｐを搬送方向下流側へ搬送する搬送部７０と、搬送された用紙Ｐに対して記録ヘッド８２により記録を実行する記録部８０と、を備えていることを特徴とする。  
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６５】
【図１】本発明に係るプリンタ内部におけるピックアップ時の動作を示す側面図。
【図２】本発明に係るプリンタ内部における土手分離時の動作を示す側面図。
【図３】本発明に係るプリンタ内部におけるリタード分離の動作を示す側面図。
【図４】本発明に係るプリンタ内部におけるリタード分離の動作を示す側面図。
【図５】図４の状態を拡大した様子を示す拡大側断面図。
【図６】本発明に係るプリンタ内部におけるリタード分離の動作を示す側面図。
【図７】本発明において後続用紙をピックアップする様子を示す側面図。
【図８】図７の状態を拡大した様子を示す拡大側断面図。
【図９】本発明に係る用紙先端規制リブを示す斜視図。
【図１０】従来技術における記録装置内部の概略を示す側面図。
【符号の説明】
【００６６】
１  プリンタ、２  基体部、１０  給送部、１１  Ｕ字型外側用紙案内部、
１２  内側用紙案内部、１３  巻き込み防止部、１４  カセット部、１５  パッド部、
２０  ピックアップ部、２１  ピックアップローラ、２２  アーム部、２３  アーム軸、
３０  予備分離部、３１  土手分離部、４０  本分離部、４１  リタードローラ、
４２  リタードホルダ、４３  揺動機構、４５  カム部、４６  揺動軸、
４７  付勢ばね、４８  第１アシストローラ、５０  中間駆動ローラ、
５１  第２アシストローラ、５２  第３アシストローラ、６０  用紙先端規制リブ
７０  搬送部、７１  搬送ローラ対、７２  搬送駆動ローラ、７３  搬送従動ローラ、
７４  従動ローラホルダ、７５  用紙検出器、７６  センサ部、７７  用紙検出レバー、
８０  記録部、８１  プラテン、８２  記録ヘッド、９０  制御部、
９１  給送用モータ、９２  離間用モータ、９３  アーム用モータ、
２００  （従来技術の）記録装置、２０１  給送装置、２０２  ピックアップローラ、
２０３  土手分離部、２０４  リタードローラ、２０５  送り駆動ローラ、
２０６  案内経路部、２０７  搬送ローラ対、２０８  記録部、２０９  最上位の用紙、
２１０  分離された用紙、Ｎ  ニップ点、Ｐ  用紙、Ｐ１  先行する用紙、
Ｐ２  後続の用紙、Ｘ  幅方向、Ｙ  送り方向
【図１】
0005126517.tif 000002
【図２】
0005126517.tif 000003
【図３】
0005126517.tif 000004
【図４】
0005126517.tif 000005
【図５】
0005126517.tif 000006
【図６】
0005126517.tif 000007
【図７】
0005126517.tif 000008
【図８】
0005126517.tif 000009
【図９】
0005126517.tif 000010
【図１０】
0005126517.tif 000011